(57)【要約】【課題】エッチング加工された金属プレート同士をロウ付け接合法により確実に接合することが可能な、シート状ロウ材および熱交換器の製造方法を提供する。【解決手段】シート状ロウ材３０Ａは、一対の熱交換器用金属プレート２０Ａ、２０Ｂを互いに接合するためのものである。シート状ロウ材３０Ａは、長手方向（Ｙ方向）と、長手方向（Ｙ方向）に垂直な幅方向（Ｘ方向）とを備えている。幅方向中央部３０ａの厚みが、幅方向端部３０ｂの厚みよりも厚くなっている。【選択図】図２
2019018231.tif 000002
【特許請求の範囲】
【請求項１】
一対の熱交換器用金属プレートを互いに接合するためのシート状ロウ材であって、
長手方向と、
前記長手方向に垂直な幅方向とを備え、
前記幅方向中央部の厚みが、前記幅方向端部の厚みよりも厚い、シート状ロウ材。
【請求項２】
前記幅方向中央部の厚みと前記幅方向端部の厚みとの差が、前記幅方向中央部の厚みの１％以上２０％以下である、請求項１記載のシート状ロウ材。
【請求項３】
前記幅方向中央部の厚みと前記幅方向端部の厚みとの差が、２μｍ以上５０μｍ以下である、請求項１又は２記載のシート状ロウ材。
【請求項４】
熱交換器の製造方法であって、
少なくとも一対の熱交換器用金属プレートを準備する工程と、
前記一対の熱交換器用金属プレートをシート状ロウ材を介して互いに接合する工程とを備え、
前記シート状ロウ材は、
長手方向と、
前記長手方向に垂直な幅方向とを備え、
前記幅方向中央部の厚みが、前記幅方向端部の厚みよりも厚い、熱交換器の製造方法。
【請求項５】
前記幅方向中央部の厚みと前記幅方向端部の厚みとの差が、前記幅方向中央部の厚みの１％以上２０％以下である、請求項４記載の熱交換器の製造方法。
【請求項６】
前記幅方向中央部の厚みと前記幅方向端部の厚みとの差が、２μｍ以上５０μｍ以下である、請求項４又は５記載の熱交換器の製造方法。
【発明の詳細な説明】
【技術分野】
【０００１】
本発明は、シート状ロウ材および熱交換器の製造方法に関する。
【背景技術】
【０００２】
一般に、熱交換器は、熱エネルギーの利用や除熱を要する機器などに幅広く利用されている。その中で、高性能熱交換器として代表的なものとして、プレート型熱交換器が知られている（例えば、特許文献１参照）。このようなプレート型熱交換器においては、プレス加工やハーフエッチング加工などで部分的に薄肉に形成された金属プレートを複数枚積み重ね、この金属プレート間に、熱交換流体の対向する或いは並行する流路を形成するようになっている。
【０００３】
また、プレート型熱交換器においては、温度の異なる２つの熱交換流体間で伝熱効率を高めるために、熱交換流体が通る流路に複数の伝熱フィンを設け、伝熱面積を増やしている。
【先行技術文献】
【特許文献】
【０００４】
【特許文献１】特開２００６−１７０５４９号公報
【特許文献２】特許第３８９３１１０号公報
【発明の概要】
【発明が解決しようとする課題】
【０００５】
例えば特許文献１において、熱交換器を作製する際、エッチングを用いてマイクロ流路を有する金属プレートを作製し、この金属プレート同士を拡散接合法によって接合している。しかしながら、拡散接合法を用いた場合、金属プレートの平坦度にわずかな差が存在したり、金属プレートの積層枚数が増えたりした場合に接合不良が発生しやすく、生産効率が低下してしまうという問題がある。また、特許文献２においては、プレートとフィンとをロウ付け接合法によって接合している。
【０００６】
しかしながら、従来、エッチング加工された金属プレートは、エッチング加工前の金属プレートに比べて反りが大きい傾向がある。このため、エッチング加工された一対の金属プレートを例えばロウ付け接合法を用いて接合する場合、流路が加工された面を互いに対向させるように配置すると、一対の金属プレート同士の間に空間が生じやすいという問題がある。
【０００７】
本発明はこのような点を考慮してなされたものであり、エッチング加工された金属プレート同士をロウ付け接合法により確実に接合することが可能な、シート状ロウ材および熱交換器の製造方法を提供することを目的とする。
【課題を解決するための手段】
【０００８】
本発明は、一対の熱交換器用金属プレートを互いに接合するためのシート状ロウ材であって、長手方向と、前記長手方向に垂直な幅方向とを備え、前記幅方向中央部の厚みが、前記幅方向端部の厚みよりも厚い、シート状ロウ材である。
【０００９】
本発明は、前記幅方向中央部の厚みと前記幅方向端部の厚みとの差が、前記幅方向中央部の厚みの１％以上２０％以下である、シート状ロウ材である。
【００１０】
本発明は、前記幅方向中央部の厚みと前記幅方向端部の厚みとの差が、２μｍ以上５０μｍ以下である、シート状ロウ材である。
【００１１】
本発明は、熱交換器の製造方法であって、少なくとも一対の熱交換器用金属プレートを準備する工程と、前記一対の熱交換器用金属プレートをシート状ロウ材を介して互いに接合する工程とを備え、前記シート状ロウ材は、長手方向と、前記長手方向に垂直な幅方向とを備え、前記幅方向中央部の厚みが、前記幅方向端部の厚みよりも厚い、熱交換器の製造方法である。
【００１２】
本発明は、前記幅方向中央部の厚みと前記幅方向端部の厚みとの差が、前記幅方向中央部の厚みの１％以上２０％以下である、熱交換器の製造方法である。
【００１３】
本発明は、前記幅方向中央部の厚みと前記幅方向端部の厚みとの差が、２μｍ以上５０μｍ以下である、熱交換器の製造方法である。
【発明の効果】
【００１４】
本発明によれば、エッチング加工された金属プレート同士をロウ付け接合法により確実に接合することができる。
【図面の簡単な説明】
【００１５】
【図１】図１は、本発明の一実施の形態による熱交換器を示す分解斜視図。
【図２】図２（ａ）（ｃ）は、それぞれ金属プレートを示す平面図、図２（ｂ）は、本発明の一実施の形態によるシート状ロウ材を示す平面図。
【図３】図３は、本発明の一実施の形態によるシート状ロウ材を示す断面図（図２（ａ）のIII−III線断面図）。
【図４】図４は、シート状ロウ材を示す部分拡大平面図（図２（ｂ）のIV部拡大図）。
【図５】図５は、互いに接合された一対の金属プレートを示す断面図（図４のＶ−Ｖ線断面に対応する図）。
【図６】図６は、ロウ材用金属板を作製する工程を示す概略図。
【図７】図７は、ロウ材用金属板を作製する間、鋳造ロール上に溶融した金属を供給している状態を示す図。
【発明を実施するための形態】
【００１６】
以下、本発明の一実施の形態について、図１乃至図５を参照して説明する。なお、以下の各図において、同一部分には同一の符号を付しており、一部詳細な説明を省略する場合がある。
【００１７】
熱交換器の構成
まず、図１により、本実施の形態による熱交換器の概略について説明する。図１は、本実施の形態による熱交換器を示す分解斜視図である。
【００１８】
図１に示すように、本実施の形態による熱交換器（プレート型熱交換器）１０は、一方の固定板１１と、一方の固定板１１から離間して設けられた他方の固定板１２と、一方の固定板１１と他方の固定板１２との間に互いに積層して配置された複数（図１では４枚）の熱交換器用金属プレート（金属薄板状プレート）２０Ａ〜２０Ｄとを備えている。
【００１９】
このうち、複数の金属プレート２０Ａ〜２０Ｄは、第１の流体Ｆ１用の金属プレート２０Ａ、２０Ｂと、第２の流体Ｆ２用の金属プレート２０Ｃ、２０Ｄとからなっている。
【００２０】
一対の熱交換器用金属プレート２０Ａ、２０Ｂ（以下、金属プレート２０Ａ、２０Ｂともいう）の間には、所定のパターンが形成されたシート状ロウ材（パターン状ロウ材）３０Ａが配置されている。このシート状ロウ材３０Ａによって一対の金属プレート２０Ａ、２０Ｂが互いに接合されている。同様に、一対の熱交換器用金属プレート２０Ｃ、２０Ｄ（以下、金属プレート２０Ｃ、２０Ｄともいう）の間には、所定のパターンが形成されたシート状ロウ材（パターン状ロウ材）３０Ｂが配置されている。このシート状ロウ材３０Ｂによって一対の金属プレート２０Ｃ、２０Ｄが互いに接合されている。
【００２１】
シート状ロウ材３０Ａ、３０Ｂは、それぞれロウ材外周領域３１と、ロウ材外周領域３１の内側に形成された貫通領域３２と、貫通領域３２内に配置された複数の被覆領域３５およびブリッジ（繋ぎ部）３６とを有している。なお、シート状ロウ材３０Ａ、３０Ｂの構成については後述する。
【００２２】
図１において、シート状ロウ材３０Ａ、３０Ｂとしては、接合前の状態を示しており、貫通領域３２内に被覆領域３５およびブリッジ３６が配置されている。一方、完成後の熱交換器１０において、被覆領域３５およびブリッジ３６のうち、伝熱フィン２５に接合される部分を除いて溶融されている。
【００２３】
一方の固定板１１と金属プレート２０Ａとの間には、パターンが形成されていないシート状ロウ材（非パターン状ロウ材）３０Ｃが配置されている。このシート状ロウ材３０Ｃによって一方の固定板１１と金属プレート２０Ａとが互いに接合されている。また、一対の金属プレート２０Ｂ、２０Ｃの間には、パターンが形成されていないシート状ロウ材（非パターン状ロウ材）３０Ｄが配置されている。このシート状ロウ材３０Ｄによって一対の金属プレート２０Ｂ、２０Ｃが互いに接合されている。さらに、他方の固定板１２と金属プレート２０Ｄとの間には、パターンが形成されていないシート状ロウ材（非パターン状ロウ材）３０Ｅが配置されている。このシート状ロウ材３０Ｅによって他方の固定板１２と金属プレート２０Ｄとが互いに接合されている。
【００２４】
シート状ロウ材３０Ｃ〜３０Ｅは、シート状ロウ材３０Ａ、３０Ｂとは異なり、ロウ材外周領域３１、貫通領域３２、被覆領域３５およびブリッジ３６を有していない。すなわち、シート状ロウ材３０Ｃ〜３０Ｅは、流体が通過する入口側開口３３Ａ、３３Ｂ、出口側開口３４Ａ、３４Ｂが貫通形成されている点を除き、開口等を有することなく、一面に広がっている。また、シート状ロウ材３０Ｃ〜３０Ｅは、互いに略同一の平面形状を有している。
【００２５】
このように、金属プレート２０Ａ〜２０Ｄ同士、または金属プレート２０Ａ〜２０Ｄと固定板１１、１２とは、シート状ロウ材３０Ａ〜３０Ｅを用いて互いに接合されている。これにより、金属プレート２０Ａ〜２０Ｄの平坦度にわずかな差が生じていたり、金属プレート２０Ａ〜２０Ｄの積層枚数が増えたりした場合であっても、金属プレート２０Ａ〜２０Ｄの接合不良が発生せず、生産効率が低下するおそれがない。
【００２６】
一方の固定板１１および他方の固定板１２は、それぞれ平面略矩形状を有している。このうち一方の固定板１１には、流入管１３Ａ、１３Ｂおよび流出管１４Ａ、１４Ｂが接続されている。これに対して他方の固定板１２は、開口等が形成されることなく、平坦な形状を有している。
【００２７】
流入管１３Ａおよび流出管１４Ａは、それぞれ第１の流体Ｆ１が流入および流出するものである。第１の流体Ｆ１は、図示しないコンプレッサー又はポンプによって、流入管１３Ａから熱交換器１０に流入し、金属プレート２０Ａ、２０Ｂ内で循環しながら熱交換を行い、流出管１４Ａから流出するようになっている。また、流入管１３Ｂおよび流出管１４Ｂは、それぞれ第２の流体Ｆ２が流入および流出するものである。第２の流体Ｆ２は、図示しないコンプレッサー又はポンプによって、流入管１３Ｂから熱交換器１０に流入し、金属プレート２０Ｃ、２０Ｄ内で循環しながら熱交換を行って、流出管１４Ｂから流出するようになっている。
【００２８】
第１の流体Ｆ１および第２の流体Ｆ２は、少なくとも流入管１３Ａ、１３Ｂに流入する時点では、互いに温度が異なっている。第１の流体Ｆ１および第２の流体Ｆ２としては、二酸化炭素、空気等の気体であっても良く、水等の液体であっても良い。第１の流体Ｆ１および第２の流体Ｆ２は、同一種類の流体を用いても良く、互いに異なる種類の流体を用いても良い。
【００２９】
このように、熱交換器１０においては、金属プレート２０Ａ、２０Ｂの間を通過する第１の流体Ｆ１と、金属プレート２０Ｃ、２０Ｄの間を通過する第２の流体Ｆ２との間で、熱交換が行われるようになっている。なお、金属プレート２０Ａ〜２０Ｄの枚数は、図１では便宜上４枚の場合を示しているが、これに限らず、例えば２０枚以上２００枚以下程度としても良い。
【００３０】
なお、このような熱交換器１０は、例えば給湯器のヒートポンプユニット、空調設備、車載ＥＧＲ（Exhaust Gas Recirculation）クーラー、化学プラント等に用いることができる。
【００３１】
金属プレートの構成
次に、図２（ａ）（ｃ）を参照して、本実施の形態によるシート状ロウ材を用いて接合される金属プレートの構成について説明する。なお、以下においては、第１の流体Ｆ１用の一対の金属プレート２０Ａ、２０Ｂの構成について説明するが、第２の流体Ｆ２用の一対の金属プレート２０Ｃ、２０Ｄについてもその構成は略同様である。
【００３２】
図２（ａ）（ｃ）に示すように、一対の金属プレート２０Ａ、２０Ｂは、それぞれ平面略矩形形状であり、長手方向と幅方向とを有している。図２（ａ）（ｃ）において、長手方向はＹ方向に平行であり、幅方向はＹ方向に直交するＸ方向に平行である。
【００３３】
金属プレート２０Ａ、２０Ｂは、それぞれ外周領域２１と、外周領域２１の内側に形成された薄肉領域（ハーフエッチング領域）２２とを有している。このうち外周領域２１は、各金属プレート２０Ａ、２０Ｂの外周全域に沿って環状に形成されている。この外周領域２１は、ハーフエッチングが施されておらず、金属プレート２０Ａ、２０Ｂ全体の厚みと同一の厚みを有している。
【００３４】
また、薄肉領域２２は、外周領域２１よりも薄肉となっており、金属プレート２０Ａ、２０Ｂの一面側のみに形成されている。この場合、薄肉領域２２は、当該一面側から例えばハーフエッチング加工を施すことにより形成されている。なお、「ハーフエッチング」とは、被エッチング材料をその厚み方向に途中までエッチングすることをいう。薄肉領域２２の深さは、例えば、外周領域２１の厚みの４０％以上６０％以下程度とされても良い。
【００３５】
薄肉領域２２のうち、金属プレート２０Ａ、２０Ｂの一対の角部近傍には、それぞれ入口側開口２３Ａ、出口側開口２４Ａが形成されている。この入口側開口２３Ａ、出口側開口２４Ａは、第１の流体Ｆ１が通過するとともに、薄肉領域２２に連通している。
【００３６】
また、外周領域２１のうち、金属プレート２０Ａ、２０Ｂの他の一対の角部近傍には、それぞれ入口側開口２３Ｂ、出口側開口２４Ｂが形成されている。この入口側開口２３Ｂ、出口側開口２４Ｂは、第２の流体Ｆ２が通過するとともに、金属プレート２０Ａ、２０Ｂの薄肉領域２２とは連通しないようになっており、他方、金属プレート２０Ｃ、２０Ｄの薄肉領域２２に連通されるようになっている。
【００３７】
これらの入口側開口２３Ａ、２３Ｂ、出口側開口２４Ａ、２４Ｂは、金属プレート２０Ａ、２０Ｂを貫通するように形成される。なお、入口側開口２３Ａ、２３Ｂ、出口側開口２４Ａ、２４Ｂは、薄肉領域２２を片面側からハーフエッチングにより形成する際、薄肉領域２２と同時に両面側からエッチングにより形成されても良い。
【００３８】
薄肉領域２２には、複数の伝熱フィン２５がそれぞれＺ方向（金属プレート２０Ａ、２０Ｂの厚み方向）に突出して設けられている。各伝熱フィン２５が設けられている箇所の厚みは、外周領域２１の厚みと同一である。一方、各伝熱フィン２５は、外周領域２１および他の伝熱フィン２５からそれぞれ平面方向（Ｘ方向およびＹ方向）に離間して配置されている。このため、各伝熱フィン２５は島状に独立して配置されており、各伝熱フィン２５の周囲には、第１の流体Ｆ１が通過するための流路２６が形成されている。なお、図１および図２（ａ）（ｃ）において、便宜上、一部の伝熱フィン２５のみを示しているが、実際には、薄肉領域２２の略全域に亘って伝熱フィン２５が配置されている。
【００３９】
各伝熱フィン２５は、平面略Ｓ字形状を有している。この伝熱フィン２５は、第１の流体Ｆ１の主流方向Ｄ（Ｙ方向）に沿って一定の間隔を隔てて多数配置されている。また、伝熱フィン２５は、第１の流体Ｆ１の主流方向Ｄ（Ｙ方向）に対して垂直な方向（Ｘ方向）にも一定の間隔で平行に配置されている。この伝熱フィン２５は、その長手方向両端を渦や旋回流などの乱れが生じないような流線型にそれぞれ成形しており、流体抵抗を最小にするように構成されている。なお、各伝熱フィン２５の形状は、平面円形状、平面長円形状、または平面多角形形状としても良い。
【００４０】
本実施の形態において、図２（ａ）（ｃ）に示すように、外周領域２１のうち薄肉領域２２側には、長手方向縁部２７と横方向縁部２８とが形成されている。このうち長手方向縁部２７は、第２の流体Ｆ２の主流方向Ｄ（Ｙ方向）に沿って直線状に延びている。なお、長手方向縁部２７は、伝熱フィン２５の形状に沿って波形状又はジグザグ形状としても良い。また、横方向縁部２８は、外周領域２１のうち主流方向Ｄに直交する方向（Ｘ方向）に沿って屈曲して形成されている。
【００４１】
シート状ロウ材の構成
次に、図２（ｂ）、図３および図４を参照して、本実施の形態によるシート状ロウ材の構成について説明する。なお、以下においては、金属プレート２０Ａ、２０Ｂを接合するシート状ロウ材３０Ａの構成について説明するが、金属プレート２０Ｃ、２０Ｄを接合するシート状ロウ材３０Ｂについてもその構成は略同様である。
【００４２】
図２（ｂ）は、接合される前の状態におけるシート状ロウ材３０Ａを示している。このシート状ロウ材３０Ａは、平面略矩形形状であり、長手方向と幅方向とを有している。図２（ｂ）において、長手方向はＹ方向に平行であり、幅方向はＹ方向に直交するＸ方向に平行である。またシート状ロウ材３０Ａは、ロウ材外周領域３１と、ロウ材外周領域３１の内側に形成された貫通領域（エッチング領域）３２とを有している。このうちロウ材外周領域３１は、金属プレート２０Ａ、２０Ｂの外周領域２１と略同一形状をもち、シート状ロウ材３０Ａの外周全域に沿って環状に形成されている。このロウ材外周領域３１は、エッチングが施されていない領域となっている。
【００４３】
貫通領域３２は、シート状ロウ材３０Ａの厚み方向を貫通して形成されている。この場合、貫通領域３２は、例えばシート状ロウ材３０Ａの両面側からエッチング加工を施すことにより形成されている。
【００４４】
ロウ材外周領域３１のうち、シート状ロウ材３０Ａの一対の角部近傍には、それぞれ入口側開口３３Ｂ、出口側開口３４Ｂが形成されている。この入口側開口３３Ｂ、出口側開口３４Ｂは、第２の流体Ｆ２が通過するとともに、シート状ロウ材３０Ａの貫通領域３２とは連通しないようになっており、他方、金属プレート２０Ｃ、２０Ｄの薄肉領域２２に連通されるようになっている。これら入口側開口３３Ｂ、出口側開口３４Ｂは、シート状ロウ材３０Ａを貫通するように形成されている。なお、入口側開口３３Ｂ、出口側開口３４Ｂは、貫通領域３２をエッチングにより形成する際、貫通領域３２と同時に両面側からエッチングされることにより形成されても良い。
【００４５】
貫通領域３２の内部には、複数の被覆領域３５が配置されている。各被覆領域３５は、対応する伝熱フィン２５の平面全体を覆う位置にそれぞれ配置されている。各被覆領域３５の厚みは、ロウ材外周領域３１の厚みと同一である。また、各被覆領域３５は、ロウ材外周領域３１および他の被覆領域３５からそれぞれ平面方向（Ｘ方向およびＹ方向）に離間して配置されている。この被覆領域３５は、貫通領域３２を両面側からエッチングにより形成する際、エッチングされずに残存する領域の一部からなっている。
【００４６】
また各被覆領域３５は、それぞれブリッジ３６を介してロウ材外周領域３１に保持されている。すなわち、各被覆領域３５には少なくとも１本のブリッジ３６が連結されており、このブリッジ３６は、他の被覆領域３５及び／又はロウ材外周領域３１に連結されている。これにより、全ての被覆領域３５が、ブリッジ３６を介してロウ材外周領域３１に保持され、ロウ材外周領域３１から脱落しないようになっている。なお、ブリッジ３６は、貫通領域３２を両面側からエッチングにより形成する際、エッチングされずに残存する領域の一部からなっている。なお、図１および図２（ｂ）において、便宜上、一部の被覆領域３５およびブリッジ３６のみを示しているが、実際には、貫通領域３２の略全域に亘って被覆領域３５およびブリッジ３６が配置されている。
【００４７】
図３は、シート状ロウ材３０Ａの幅方向（Ｘ方向）に沿う断面図（図２（ｂ）のIII−III線断面図）であって、ブリッジ３６がシート状ロウ材３０Ａの幅方向全体にわたって延びている箇所における断面図である。なお、図３において、シート状ロウ材３０Ａは厚み方向（Ｚ方向）に誇張して描かれている。
【００４８】
図３に示すように、シート状ロウ材３０Ａは、一対の幅方向端部３０ｂ、３０ｂと、一対の幅方向端部３０ｂ、３０ｂの中間に位置する幅方向中央部３０ａとを有している。本実施の形態において、シート状ロウ材３０Ａの幅方向中央部３０ａは、幅方向端部３０ｂよりも厚く盛り上がっており、幅方向中央部３０ａの厚みｔａは、幅方向端部３０ｂの厚みｔｂよりも厚くなっている。この場合、シート状ロウ材３０Ａは、幅方向中央部３０ａにおいて最も厚くなっており、幅方向端部３０ｂにおいて最も薄くなっている。また、シート状ロウ材３０Ａは、表面及び裏面の両方において、幅方向中央部３０ａから各々の幅方向端部３０ｂに向けてなだらかに傾斜している。なお、シート状ロウ材３０Ａの長手方向（Ｙ方向）の全域にわたり、幅方向中央部３０ａが幅方向端部３０ｂよりも厚くなっている。
【００４９】
本実施の形態において、幅方向中央部３０ａの厚みｔａは、２０μｍ以上５００μｍ以下としても良い。また、シート状ロウ材３０Ａの幅方向中央部３０ａの厚みｔａと幅方向端部３０ｂの厚みｔｂとの差（ｔａ−ｔｂ）は、幅方向中央部３０ａの厚みｔａの１％以上２０％以下となっている。さらに、幅方向中央部３０ａの厚みｔａと幅方向端部３０ｂの厚みｔｂとの差（ｔａ−ｔｂ）は、２μｍ以上５０μｍ以下となっている。幅方向中央部３０ａの厚みｔａと幅方向端部３０ｂの厚みｔｂとの差を上記範囲とすることにより、シート状ロウ材３０Ａによって金属プレート２０Ａ、２０Ｂの幅方向中央部における反りを吸収し、金属プレート２０Ａ、２０Ｂ同士を容易に接合することができる。
【００５０】
なお、シート状ロウ材３０Ａの最も厚い箇所は、幅方向中央部３０ａに限らず、幅方向中央部３０ａから幅方向にずれていても良い。また、シート状ロウ材３０Ａは、必ずしも幅方向中央部３０ａから幅方向端部３０ｂに向けて厚みが単調に減少しなくてもよい。例えば、シート状ロウ材３０Ａは、幅方向中央部３０ａから幅方向端部３０ｂに向けて、厚みが増減しつつ、全体として幅方向に沿って厚みが減少しても良い。
【００５１】
図示していないが、他のシート状ロウ材３０Ｂ〜３０Ｅについても同様に、幅方向中央部３０ａの厚みｔａが幅方向端部３０ｂの厚みｔｂよりも厚くなっている。
【００５２】
次に、図４を参照して、被覆領域３５およびブリッジ３６の構成について説明する。図４は図２（ｂ）のIV部拡大図であり、対応する伝熱フィン２５の位置を仮想線（二点鎖線）で示している。
【００５３】
図４に示すように、各被覆領域３５は、伝熱フィン２５に沿うように平面略Ｓ字形状を有している。図４において、領域Ｓは、被覆領域３５の外周縁を示している。この被覆領域３５は、伝熱フィン２５の平面全体を覆っている。この場合、各被覆領域３５は、対応する伝熱フィン２５の形状よりもわずかに大きくなっており、例えば１０μｍ以上２００μｍ以下程度側方に広く形成されていても良い。これにより、接合時に被覆領域３５と伝熱フィン２５との間にわずかな位置ずれが生じた場合であっても、伝熱フィン２５同士を確実に接合することができる。なお、各伝熱フィン２５の形状が平面円形状、平面長円形状、または平面多角形形状である場合、各被覆領域３５の形状は、各伝熱フィン２５の形状に合わせて平面円形状、平面長円形状、または平面多角形形状としても良い。
【００５４】
各被覆領域３５は、第１の流体Ｆ１の主流方向Ｄ（Ｙ方向）に沿って一定の間隔を隔てて多数配置されている。また、被覆領域３５は、第１の流体Ｆ１の主流方向Ｄ（Ｙ方向）に対して垂直な方向（Ｘ方向）にも一定の間隔で平行に配置されている。
【００５５】
ブリッジ３６は、平面略直線形状を有している。ブリッジ３６は、各被覆領域３５の端部と、当該被覆領域３５に対してＸ方向に隣接する被覆領域３５の途中部分とを互いに連結している。本実施の形態において、各ブリッジ３６は、それぞれＸ方向に平行に延びている。この場合、伝熱フィン２５の端部の周囲において、シート状ロウ材３０の面積を広く確保することができるので、シート状ロウ材３０Ａ、３０Ｂの伝熱フィン２５の端部同士を確実に接合することができる。
【００５６】
次に、図５を参照して、シート状ロウ材３０Ａによって接合された状態の金属プレート２０Ａ、２０Ｂについて説明する。図５は、金属プレート２０Ａ、２０Ｂ同士の接合が完了した状態を示しており、図４のＶ−Ｖ線断面に対応している。
【００５７】
図５に示すように、金属プレート２０Ａ、２０Ｂは、薄肉領域２２が形成された面同士を互いに対向させるように配置されている。また、一対の金属プレート２０Ａ、２０Ｂの薄肉領域２２および複数の伝熱フィン２５は、それぞれ互いに鏡面対称となるように形成されている。このため、金属プレート２０Ａ、２０Ｂを互いに接合した際、薄肉領域２２同士が一致し、対応する各伝熱フィン２５同士が一致するように接合される。さらに、金属プレート２０Ａ、２０Ｂの間にシート状ロウ材３０Ａが介在され、シート状ロウ材３０Ａによって金属プレート２０Ａ、２０Ｂが互いに接合されている。このとき、金属プレート２０Ａ、２０Ｂの薄肉領域２２と、シート状ロウ材３０Ａの貫通領域３２とによって第１の流体Ｆ１が流れる流路２６が形成される。
【００５８】
このように接合が完了した状態で、シート状ロウ材３０Ａは、金属プレート２０Ａ、２０Ｂの外周領域２１および伝熱フィン２５に対応する領域を除いて、溶融されて除去されている。すなわちシート状ロウ材３０Ａは、ロウ材外周領域３１と、貫通領域３２内に配置されるとともに、各伝熱フィン２５の形状に対応する複数のフィン接合領域３５ａとを有する。フィン接合領域３５ａは、被覆領域３５のうち伝熱フィン２５に接合された部分からなる。
【００５９】
この場合、流路２６には、シート状ロウ材３０Ａを構成する材料によって覆われていない領域が存在している。流路２６には、シート状ロウ材３０Ａの微量な残渣３８が残留していても良い。残渣３８は、被覆領域３５のうち伝熱フィン２５に接合されなかった部分や、ブリッジ３６が溶融することにより形成されたものである。なお、流路２６のうち平面方向から見て面積で例えば４０％以上９０％以下の領域が残渣３８によって覆われることなく、金属プレート２０Ａ、２０Ｂの材料が露出していることが好ましい。流路２６に占めるシート状ロウ材３０Ａの残渣３８の量はごくわずかであり、流路２６が残渣３８によって閉塞されたり、第１の流体Ｆ１の流れに影響が生じたりするおそれはない。
【００６０】
ところで、金属プレート２０Ａ、２０Ｂは、ハーフエッチングされているため、薄肉領域２２が形成された面側が凹状となるように反りやすい。このため、対向する金属プレート２０Ａ、２０Ｂを対向させた際、その幅方向中央部に隙間が生じる傾向がある。これに対して本実施の形態においては、シート状ロウ材３０Ａの幅方向中央部３０ａは、幅方向端部３０ｂよりも厚いので、金属プレート２０Ａ、２０Ｂ同士の隙間に、より多くのロウ材を配置することが可能となる。このため、シート状ロウ材３０Ａによって金属プレート２０Ａ、２０Ｂを接合した際、金属プレート２０Ａ、２０Ｂの幅方向中央部３０ａをより強固かつ確実に接合することができる。なお、シート状ロウ材３０Ａによって接合された後、金属プレート２０Ａ、２０Ｂの反りはほぼ解消された状態となり、金属プレート２０Ａ、２０Ｂは幅方向に沿って水平な形状となる。
【００６１】
金属プレート２０Ａ、２０Ｂは、熱伝導性の良い金属が好ましく、例えばステンレス、鉄、銅、銅合金、アルミニウム、アルミニウム合金、チタンなど、種々選択可能である。また、金属プレート２０Ａ、２０Ｂの厚みは、それぞれ例えば０．１ｍｍ以上２．０ｍｍ以下としても良い。このことは、上述した金属プレート２０Ｃ、２０Ｄについても同様である。
【００６２】
シート状ロウ材３０Ａは、例えばニッケル、銀、銅、又はこれらのいずれかを含む合金など、種々選択可能である。このことは、上述したシート状ロウ材３０Ｂ〜３０Ｅについても同様である。
【００６３】
本実施の形態において、流路２６の高さｈ（Ｚ方向の距離）（図５参照）は、金属プレート２０Ａ、２０Ｂの薄肉領域２２の深さと、接合後のシート状ロウ材３０Ａの厚みとの合計によって規定される。具体的には、流路２６の高さｈは、例えば０．１ｍｍ以上１．０ｍｍ以下とすることが好ましい。このように、流路２６の高さｈを抑えることにより、熱交換器１０をコンパクトにすることができるとともに、熱交換の効率を高めることができる。
【００６４】
熱交換器の製造方法
次に、上述した熱交換器の製造方法について説明する。
【００６５】
まず、上述した金属プレート２０Ａ〜２０Ｄをエッチングによりそれぞれ作製する。この場合、各金属プレート２０Ａ〜２０Ｄに対応する平板状のプレート用金属板を準備し、このプレート用金属板をそれぞれハーフエッチング加工することにより、薄肉領域２２を形成する。また、薄肉領域２２を形成する際、プレート用金属板を両面からエッチング加工することにより、入口側開口２３Ａ、２３Ｂ、出口側開口２４Ａ、２４Ｂをそれぞれ形成する。このとき、外周領域２１および伝熱フィン２５に対応する領域は、エッチング加工されることなくプレート用金属板と同様の厚みを保持する。なお上述したように、エッチングにより作製された金属プレート２０Ａ〜２０Ｄは、ハーフエッチングされた面である薄肉領域２２側の面が凹状に反る傾向がある。
【００６６】
また、各シート状ロウ材３０Ａ、３０Ｂに対応する平板状のロウ材用金属板を準備し、このロウ材用金属板をエッチング加工することにより、上述したシート状ロウ材３０Ａ、３０Ｂを作製する。
【００６７】
この場合、まず図６に示すように、ロウ材用の溶融した金属３０Ｑを、溶解炉９１から回転する鋳造ロール９２上に供給する。次に、鋳造ロール９２上で金属３０Ｑを冷却固化することによりシート状に形成し、これをロール９３に巻き取ることにより、平板状のロウ材用金属板３０Ｐを得る。
【００６８】
なお、図７に示すように、溶解炉９１から鋳造ロール９２上に金属３０Ｑを供給する際、鋳造ロール９２の上方にメッシュ状のフィルタ９４を設け、このフィルタ９４を通過させて金属３０Ｑを鋳造ロール９２に流す。この場合、フィルタ９４によって、鋳造ロール９２の幅方向中央部に金属３０Ｑを多く供給することにより、ロウ材用金属板３０Ｐの幅方向中央部の厚みを幅方向端部の厚みよりも厚くすることができる。
【００６９】
次に、このようにして得られたロウ材用金属板３０Ｐを両面からエッチング加工することによりそれぞれ貫通領域３２を形成する。また、貫通領域３２を形成するのと同時に、入口側開口３３Ａ、３３Ｂ、出口側開口３４Ａ、３４Ｂも形成される。一方、ロウ材外周領域３１、被覆領域３５およびブリッジ３６が同時に形成され、これらの領域はエッチング加工されることなく、加工前のロウ材用金属板３０Ｐの厚みを保持する。このようにして、幅方向中央部３０ａの厚みが幅方向端部３０ｂよりも厚いシート状ロウ材３０Ａ、３０Ｂが得られる。
【００７０】
同様に、上述したシート状ロウ材３０Ｃ〜３０Ｅをエッチングによりそれぞれ作製する。これらシート状ロウ材３０Ｃ〜３０Ｅには、流体が通過する開口３３Ａ、３３Ｂ、３４Ａ、３４Ｂのみがエッチングにより貫通形成されている。
【００７１】
続いて、図１に示すように、一方の固定板１１と他方の固定板１２との間に、金属プレート２０Ａ〜２０Ｄと、シート状ロウ材３０Ａ〜３０Ｅとを挟持する。この場合、一方の固定板１１側から順に、シート状ロウ材３０Ｃ、金属プレート２０Ａ、シート状ロウ材３０Ａ、金属プレート２０Ｂ、シート状ロウ材３０Ｄ、金属プレート２０Ｃ、シート状ロウ材３０Ｂ、金属プレート２０Ｄ、シート状ロウ材３０Ｅ、および他方の固定板１２が配置される。
【００７２】
なお、一方の固定板１１と、金属プレート２０Ａ〜２０Ｄと、シート状ロウ材３０Ａ〜３０Ｅと、他方の固定板１２とには、それぞれ予め所定の位置に図示しない位置決め孔が形成されている。この位置決め孔を用いて、一方の固定板１１と、金属プレート２０Ａ〜２０Ｄと、シート状ロウ材３０Ａ〜３０Ｅと、他方の固定板１２とを位置決めし、これらを抵抗溶接法により位置合せ固定しても良い。
【００７３】
次に、このようにして位置決めされた一方の固定板１１と、金属プレート２０Ａ〜２０Ｄと、シート状ロウ材３０Ａ〜３０Ｅと、他方の固定板１２とを、図示しないロウ付け炉に投入する。このロウ付け炉内で、シート状ロウ材３０Ａ〜３０Ｅは、９００℃以上１２００℃以下程度の温度に加熱溶融される。これにより、シート状ロウ材３０Ａ〜３０Ｅによって一方の固定板１１、金属プレート２０Ａ〜２０Ｄおよび他方の固定板１２がそれぞれ接合される。
【００７４】
この際、金属プレート２０Ａ、２０Ｂは、シート状ロウ材３０Ａを介して互いに接合される。このとき、シート状ロウ材３０Ａのロウ材外周領域３１により、金属プレート２０Ａ、２０Ｂの外周領域２１同士が密着して接合される。また、シート状ロウ材３０Ａの被覆領域３５（フィン接合領域３５ａ）により、金属プレート２０Ａ、２０Ｂの伝熱フィン２５同士が確実に密着して接合される。一方、被覆領域３５の周囲には、空間（貫通領域３２）が形成されている。このため、被覆領域３５の周囲に存在するロウ材によって流路２６が閉塞されるおそれがない。なお、シート状ロウ材３０Ａのうち、被覆領域３５の一部（伝熱フィン２５の外側に位置する部分）やブリッジ３６は溶融し、これによりシート状ロウ材３０Ａの微量な残渣３８が流路２６に残留する。しかしながら、上述したように、流路２６に占める残渣３８の量はごくわずかであり、流路２６が残渣３８によって閉塞されたり、第１の流体Ｆ１の流れに影響が生じたりするおそれは低い。なお、金属プレート２０Ｃ、２０Ｄについても、同様にシート状ロウ材３０Ｂを介して互いに接合される。
【００７５】
上述したように、金属プレート２０Ａ〜２０Ｄに反りが生じ、金属プレート２０Ａ〜２０Ｄの幅方向中央部の間に隙間が生じる場合がある。これに対して本実施の形態においては、シート状ロウ材３０Ａ、３０Ｂの幅方向中央部３０ａは、幅方向端部３０ｂよりも厚くなっている。このため、金属プレート２０Ａ〜２０Ｄ同士の隙間に、より多くのロウ材を配置することができ、シート状ロウ材３０Ａ、３０Ｂによって金属プレート２０Ａ〜２０Ｄを接合した際、金属プレート２０Ａ〜２０Ｄの幅方向中央部３０ａをより確実に接合することができる。この結果、接合後の金属プレート２０Ａ〜２０Ｄの反りはほぼ解消され、金属プレート２０Ａ〜２０Ｄを略水平にすることができる。
【００７６】
このようにして、一方の固定板１１と、金属プレート２０Ａ〜２０Ｄと、他方の固定板１２とが密着接合され、本実施の形態による熱交換器１０が得られる。
【００７７】
本実施の形態の作用
次に、このような構成からなる熱交換器の作用について述べる。
【００７８】
まず、図１に示す熱交換器１０において、流入管１３Ａに第１の流体Ｆ１を導入するとともに、流入管１３Ｂに第２の流体Ｆ２を導入する。この場合、第１の流体Ｆ１の温度と第２の流体Ｆ２の温度とは互いに異なっている。
【００７９】
次に、第１の流体Ｆ１は、金属プレート２０Ａ、２０Ｂ間の薄肉領域２２に形成された流路２６を通過し、熱交換器１０の流出管１４Ａから流出する。同様に、第２の流体Ｆ２は、金属プレート２０Ｃ、２０Ｄ間の薄肉領域２２に形成された流路２６を通過し、熱交換器１０の流出管１４Ｂから流出する。流出管１４Ａ、１４Ｂから流出する時点で、第１の流体Ｆ１および第２の流体Ｆ２のうち一方の温度は流入時よりも上昇し、他方の温度は流入時よりも降下している。この場合、金属プレート２０Ｂと金属プレート２０Ｃとが互いに接合されているので、これら金属プレート２０Ｂ、２０Ｃを介して、第１の流体Ｆ１と第２の流体Ｆ２との間で熱交換が効率的に行なわれる。
【００８０】
このように本実施の形態によれば、シート状ロウ材３０Ａの幅方向中央部３０ａは、幅方向端部３０ｂよりも厚くなっている。これにより、金属プレート２０Ａ、２０Ｂ同士の隙間により多くのロウ材を配置し、金属プレート２０Ａ、２０Ｂをより強固かつ確実に接合することができる。
【００８１】
また、本実施の形態によれば、金属プレート２０Ａ〜２０Ｄの流路２６がエッチングにより作製されるので、流路をプレスによって作製する場合と比べて、熱交換器１０をコンパクトかつ高効率なものとすることができる。これにより、冷媒量の削減も含め、エネルギー効率を高めることができる。
【００８２】
上記実施の形態に開示されている複数の構成要素を必要に応じて適宜組合せることも可能である。あるいは、上記実施の形態に示される全構成要素から幾つかの構成要素を削除してもよい。
【符号の説明】
【００８３】
１０        熱交換器
１１        一方の固定板
１２        他方の固定板
２０Ａ〜２０Ｄ  金属プレート
２１        外周領域
２２        薄肉領域
２５        伝熱フィン
２６        流路
２７        長手方向縁部
２８        横方向縁部
３０Ａ〜３０Ｅ  シート状ロウ材
３０ａ      幅方向中央部
３０ｂ      幅方向端部
３１        ロウ材外周領域
３２        貫通領域
３５        被覆領域
３５ａ      フィン接合領域
３６        ブリッジ
【図１】
2019018231.tif 000003
【図２】
2019018231.tif 000004
【図３】
2019018231.tif 000005
【図４】
2019018231.tif 000006
【図５】
2019018231.tif 000007
【図６】
2019018231.tif 000008
【図７】
2019018231.tif 000009